(57)【要約】【課題】本考案は、収納の際に占めるスペースを減らすとともに、モニターの左右の視聴角度と位置を調整することができる、角度調整可能な掛け台座、及び、角度調整可能な掛け台座を備えるモニター固定装置を提供する。【解決手段】角度調整可能な掛け台座は、枢軸回転本体と、第一連結部材と、第二連結部材と、積載台座とによって構成する。枢軸回転本体は、第一固定部と第二固定部とを備える。第一連結部材は、第一端部と第二端部とを備え、第一端部は枢軸回転本体の第一固定部に枢設される。第二連結部材は、第一端部と第二端部を備える。第一端部は、前記枢軸回転本体の第二固定部に枢設される。積載台座は、第一連結部と、第二連結部とを備え、第一連結部は、第一連結部材の第二端部に枢設される。第二連結部は、第二連結部材の第二端部に枢設される。【選択図】図１
0003175332.tif 000002
【実用新案登録請求の範囲】
【請求項１】
枢軸回転本体と、少なくとも一つの第一連結部材と、少なくとも一つの固定部材と、少なくとも一つの第二連結部材と、積載台座と、によって構成する角度調整可能な掛け台座であって、
枢軸回転本体は、第一固定部と第二固定部とによって構成し、
少なくとも一つの第一連結部材は、それぞれ反対側に位置する第一端部と、第二端部とによって構成し、第一端部は、前記枢軸回転本体の第一固定部に枢設されるとともに、第一枢軸に巻きつけられ枢軸回転し、
少なくとも一つの第二連結部材は、それぞれ反対側に位置する一第一端部と第二端部とによって構成し、前記第二連結部材の第一端部には、スライド溝が設けられ、前記スライド溝は、第二端部に近接する第一端と、第一端の反対側に位置する第二端とを備え、前記固定部材は前記スライド溝に穿設され、前記第二連結部材の第一端部は、前記枢軸回転本体の第二固定部に枢設されるとともに、第二枢軸に巻きつけられて枢軸回転し、
積載台座は、第一連結部と第二連結部とによって構成し、前記第一連結部は前記第一連結部材の第二端部に枢設されるとともに、第三枢軸に巻きつけられて枢軸回転し、前記第二連結部は、前記第二連結部材の第二端部に枢設されるとともに、第四枢軸に巻きつけられて枢軸回転し、
その内、前記第二連結部材の第一端部は、前記第二固定部に対してスライドさせることができ、それにより、前記第二枢軸と前記第四枢軸の距離を調整することができ、前記固定部材を前記スライド溝の第一端に配置させた時、前記第二枢軸と前記第四枢軸の距離は最短になり、前記固定部材を前記スライド溝の第二端に配置させた時、前記第二枢軸と前記第四枢軸の距離は最長になることを特徴とする、角度調整可能な掛け台座。
【請求項２】
前記第一枢軸と前記第二枢軸の距離はＡ、前記第一枢軸と前記第三枢軸の距離はＢ、前記第三枢軸と前記第四枢軸の距離はＣ、前記第二枢軸と前記第四枢軸の最短距離はＤとして定義され、前記固定部材を前記スライド溝の第一端に配置させた時、ＡはＢとＣとＤの総和に等しくなることを特徴とする、請求項１に記載の角度調整可能な掛け台座。
【請求項３】
前記固定部材を前記スライド溝の第一端に配置しなかった時、Ａは、ＢとＣとＤの総和より小さくなり、前記枢軸回転本体と、前記第一連結部材と、前記第二連結部材と、前記積載台座は、ダブルロック機構を形成し、前記第一連結部材と前記第二連結部材は、それぞれ、可動バーであり、前記積載台座は固定バーであることを特徴とする、請求項２に記載の角度調整可能な掛け台座。
【請求項４】
前記枢軸回転本体は、底壁と、前記底壁から垂直に延伸して形成される少なくとも一つの連結壁とを備え、前記第一固定部と、前記第二固定部は、前記連結壁のそれぞれ反対側に位置する両端に配置され、
前記積載台座は、底板と、前記底板の向かい合う二つの辺縁がそれぞれ垂直に折れ曲がって形成する第一積載板と第二積載板とを備え、
前記第一積載板の向かい合う二つの辺縁は、それぞれ外向きに垂直に折れ曲がって前記第一連結部を形成し、
前記第二積載板の向かい合う二つの辺縁は、それぞれ外向きに垂直に折れ曲がって前記第二連結部を形成し、
前記固定部材を前記スライド溝の第二端に配置した時、前記第二枢軸と前記第四枢軸の距離は最大になり、前記枢軸回転本体の底壁と前記積載台座の底板に挟まれて形成される角度が最大になることを特徴とする、請求項３に記載の角度調整可能な掛け台座。
【請求項５】
前記固定部材を前記スライド溝の第二端に配置した時、前記第二枢軸と前記第四枢軸の距離は最小であり、前記枢軸回転本体の底壁と前記積載台座の底板は、相互に平行に貼り合わされることを特徴とする、請求項４に記載の角度調整可能な掛け台座。
【請求項６】
前記枢軸回転本体の第一固定部には、固定孔が設けられるとともに、第二固定部には穿孔が設けられ、前記積載台座の第一連結部には第一通孔が設けられ、第二連結部には第二通孔が設けられ、前記第一連結部材の第二端部には第一対応孔が設けられ、第二端部には第二対応孔が設けられ、前記第二連結部材の第二端部には対応穿孔が設けられ、
前記固定部材を、前記第一通孔及び前記第二対応孔内と、前記第二通孔及び前記対応穿孔内と、前記固定孔及び前記第一対応孔内と、前記穿孔及び前記スライド溝内とにそれぞれ穿設することにより、前記枢軸回転本体と、前記第一連結部材と、前記第二連結部材と、前記積載台座が相互に枢設されることを特徴とする、請求項５に記載の角度調整可能な掛け台座。
【請求項７】
前記固定部材は、更に、ネジ柱と、少なくとも一つの係合片と、少なくとも一つの第一トルク調整ワッシャと、少なくとも一つの第二トルク調整ワッシャと、少なくとも一つのネジ固定ワッシャと、ネジヘッドとを備え、
前記ネジ柱は、前記係合片の係合穿孔と、前記第一連結部材の第二対応孔と、前記第一トルク調整ワッシャと、前記第一連結部の第一通孔と、前記第二トルク調整ワッシャと、前記二つのネジ固定ワッシャと、前記ネジヘッドとに、外から内に向かって順番に通されることを特徴とする、請求項６に記載の角度調整可能な掛け台座。
【請求項８】
前記第一連結部材の第一端部辺縁は接触領域を形成し、前記積載台座の第二連結部辺縁は接触領域を形成することを特徴とする、請求項６に記載の角度調整可能な掛け台座。
【請求項９】
取り付け面に固定される角度調整可能な掛け台座を備えるモニター固定装置であって、前記モニター固定装置は、請求項１から請求項８のいずれかの掛け台座と、少なくとも一つのコネクションロッドユニットと、取り付け板とによって構成し、
その内、前記取り付け板は、前記取り付け面に固定され、前記コネクションロッドユニットの一端は前記取り付け板に枢設され、前記コネクションロッドユニットの他端は前記掛け台座に枢設され、
前記コネクションロッドユニットによって、前記掛け台座と前記取り付け板の相対的な距離を調整することができることを特徴とする、角度調整可能な掛け台座を備えるモニター固定装置。
【請求項１０】
前記積載台座は底板を備え、前記底板の向かい合う二つの辺縁はそれぞれ垂直に折れ曲がって第一積載板と第二積載板を形成し、前記第一積載板には少なくとも一つの第一積載通孔が設けられ、前記第二積載板には、前記第一積載通孔に対応する少なくとも一つの第二積載通孔が設けられ、前記コネクションロッドユニットは、さらに、軸部材と、第一コネクションロッドと、回転軸部材と、第二コネクションロッドとを備え、その内、前記軸部材の両端は、それぞれ、前記第一積載通孔と前記第二積載通孔とに穿設され、前記第一コネクションロッドの一端は前記軸部材に枢設されるとともに、前記第一コネクションロッドの他端は、前記回転軸部材に枢設され、前記第二コネクションロッドの一端は前記回転軸部材に枢設されるとともに、前記第二コネクションロッドの他端は、前記取り付け板に枢設されることを特徴とする、請求項９に記載の角度調整可能な掛け台座を備えるモニター固定装置。
【考案の詳細な説明】
【技術分野】
【０００１】
本考案は掛け台座に関し、特にモニターを掛ける角度を調整可能な掛け台座と、角度調整可能な掛け台座を備えるモニター固定装置に関する。
【背景技術】
【０００２】
従来のモニター掛け台座は、台湾実用新案第Ｍ３０３３１４号「角度を自在に調整可能なモニター固定装置」に開示されている。「角度を自在に調整可能なモニター固定装置」は、台座１０と、台座１０に接続されるとともに壁面３０に連結される調整装置２０とによって構成する。調整装置２０は、吊り掛けバー２１と、調整バー２２と、一対のコネクションロッド２３とによって構成し、それらは相互に枢設されて正台形の四つのコネクションロッドを形成する。それにより、吊り掛けバー２１を、調整バー２２に対して、上向き或いは下向きに傾斜角度を調整することができる。しかしながら、このような設計は、上下の傾斜角度を調整できるだけで、左右の角度を調整することはできない。また、吊り掛けバー２１の中心点と調整バー２２の中心点の相対的な位置を変えることができず、従って、モニターの中心点と壁面３０の相対的な位置を変えることはできない。このため、モニターの視聴角度、或いは、位置を調整する時、便利であるとはいえず、しかも、モニターを使用せずに収容したい時、吊り掛けバー２１と調整バー２２を平行に閉じ合わせることはできず、かなりのスペースを占めることになる。
【先行技術文献】
【特許文献】
【０００３】
【特許文献１】台湾実用新案第Ｍ３０３３１４号明細書
【考案の概要】
【考案が解決しようとする課題】
【０００４】
本考案は、収納の際に占めるスペースを減らすとともに、モニターの左右の視聴角度と位置を調整することができる、角度調整可能な掛け台座、及び、角度調整可能な掛け台座を備えるモニター固定装置を提供することを目的とする。
【課題を解決するための手段】
【０００５】
本考案による角度調整可能な掛け台座は、枢軸回転本体と、少なくとも一つの第一連結部材と、少なくとも一つの第二連結部材と、積載台座と、少なくとも一つの固定部材と、によって構成する。枢軸回転本体は、第一固定部と第二固定部とを備える。その内、第一連結部材は、それぞれ反対側に位置する第一端部と第二端部とを備え、第一端部は枢軸回転本体の第一固定部に枢設されるとともに、第一枢軸に巻きつけられ枢軸回転する。第二連結部材は、それぞれ反対側に位置する第一端部と第二端部を備え、第二連結部材の第一端部にはスライド溝が設けられ、スライド溝は、第二端部に隣接する第一端と、第一端の反対側に位置する第二端とを備える。前記固定部材は前記スライド溝に穿設され、前記第二連結部材の第一端部は、前記枢軸回転本体の第二固定部に枢設されるとともに、第二枢軸に巻きつけられて枢軸回転する。積載台座は、第一連結部と、第二連結部とを備え、第一連結部は、第一連結部材の第二端部に枢設されるとともに、第三枢軸に巻きつけられ枢軸回転する。第二連結部は、第二連結部材の第二端部に枢設されるとともに、第四枢軸に巻きつけられ枢軸回転する。
【０００６】
また、第二連結部材の第一端部は、第二固定部に対してスライドさせることができ、それにより、第二枢軸と第四枢軸の距離を調整することができる。
【０００７】
前記固定部材をスライド溝の第一端に配置させた時、第二枢軸と第四枢軸の距離は最短になり、固定部材をスライド溝の第二端に配置させた時、第二枢軸と第四枢軸の距離は最長になる。
【０００８】
さらに、第一枢軸と第二枢軸の距離はＡ、第一枢軸と第三枢軸の距離はＢ、第三枢軸と第四枢軸の距離はＣ、第二枢軸と第四枢軸の最短距離はＤとして定義され、前記固定部材を前記スライド溝の第一端に配置させた時、ＡはＢとＣとＤの総和に等しくなる。また、固定部材をスライド溝の第一端に配置しなかった時、Ａは、ＢとＣとＤの総和より小さくなり、枢軸回転本体と、第一連結部材と、第二連結部材と、積載台座は、ダブルロック機構を形成し、第一連結部材と第二連結部材は、それぞれ、可動バーであり、積載台座は固定バーである。
【０００９】
さらに、枢軸回転本体は、底壁と、底壁から垂直に延伸して形成される少なくとも一つの連結壁とを備え、第一固定部と、第二固定部は、連結壁のそれぞれ反対側に位置する両端に配置される。積載台座は、底板と、底板の向かい合う二つの辺縁がそれぞれ垂直に折れ曲がって形成する第一積載板と第二積載板とを備える。第一積載板の向かい合う二つの辺縁は、それぞれ外向きに垂直に折れ曲がって第一連結部を形成し、第二積載板の向かい合う二つの辺縁は、それぞれ外向きに垂直に折れ曲がって第二連結部を形成する。固定部材を前記スライド溝の第二端に配置した時、第二枢軸と第四枢軸の距離は最大になり、枢軸回転本体の底壁と積載台座の底板に挟まれて形成される角度が最大になる。また、固定部材をスライド溝の第二端に配置した時、第二枢軸と第四枢軸の距離は最小であり、枢軸回転本体の底壁と積載台座の底板は、相互に平行に貼り合わされる。
【００１０】
好ましくは、枢軸回転本体の第一固定部には、固定孔が設けられるとともに、第二固定部には穿孔が設けられ、積載台座の第一連結部には第一通孔が設けられ、第二連結部には第二通孔が設けられ、第一連結部材の第二端部には第一対応孔が設けられ、第二端部には第二対応孔が設けられ、第二連結部材の第二端部には対応穿孔が設けられる。固定部材を、第一通孔及び第二対応孔内と、第二通孔及び対応穿孔内と、固定孔及び第一対応孔内と、穿孔及びスライド溝内とにそれぞれ穿設することにより、枢軸回転本体と、第一連結部材と、第二連結部材と、積載台座が相互に枢設される。
【００１１】
好ましくは、固定部材は、更に、ネジ柱と、少なくとも一つの係合片と、少なくとも一つの第一トルク調整ワッシャと、少なくとも一つの第二トルク調整ワッシャと、少なくとも一つのネジ固定ワッシャと、ネジヘッドとを備える。ネジ柱は、係合片の係合穿孔と、第一連結部材の第二対応孔と、第一トルク調整ワッシャと、第一連結部の第一通孔と、第二トルク調整ワッシャと、二つのネジ固定ワッシャと、ネジヘッドとに、外から内に向かって順番に通される。
【００１２】
好ましくは、第一連結部材の第一端部辺縁は接触領域を形成し、積載台座の第二連結部辺縁は接触領域を形成する。
【００１３】
本考案の実施例による角度調整可能な掛け台座を備えるモニター固定装置は、取り付け面に固定される。モニター固定装置は、上記で説明した掛け台座と、少なくとも一つのコネクションロッドユニットと、取り付け板とによって構成する。その内、取り付け板は、取り付け面に固定され、コネクションロッドユニットの一端は取り付け板に枢設され、コネクションロッドユニットの他端は掛け台座に枢設され、コネクションロッドユニットによって、掛け台座と取り付け板の相対的な距離を調整することができる。
【００１４】
積載台座は底板を備え、底板の向かい合う二つの辺縁はそれぞれ垂直に折れ曲がって第一積載板と第二積載板を形成し、第一積載板には少なくとも一つの第一積載通孔が設けられ、第二積載板には、第一積載通孔に対応する少なくとも一つの第二積載通孔が設けられる。コネクションロッドユニットは、さらに、軸部材と、第一コネクションロッドと、回転軸部材と、第二コネクションロッドとを備える。その内、軸部材の両端は、それぞれ、第一積載通孔と第二積載通孔とに穿設され、第一コネクションロッドの一端は軸部材に枢設されるとともに、第一コネクションロッドの他端は、回転軸部材に枢設され、第二コネクションロッドの一端は回転軸部材に枢設されるとともに、第二コネクションロッドの他端は、取り付け板に枢設される。
【考案の効果】
【００１５】
上述の内容をまとめると、本考案の実施例による角度調整可能な掛け台座、及び、角度調整可能な掛け台座を備えるモニター固定装置は、モニターを角度調整可能な掛け台座に取り付け、コネクションロッドユニットの一端を取り付け板に枢設し、コネクションロッドユニットの他端を掛け台座に枢設することにより、コネクションロッドユニットの回転軸を枢軸回転の起点にした時、モニターを、取り付け板に向かって取り付け面に対して前後に平行移動させることができ、さらには、斜め水平に平行移動させることができる。もし、コネクションロッドユニットに連結した軸部材の一端を枢軸回転の起点にした場合、モニターを、コネクションロッドユニットに対して水平に枢軸回転させることができる。もし、掛け台座を最大調整位置にした時は、モニターを、コネクションロッドユニットに対して、上下の傾きの角度を調整することができる。以上により、本考案は、收納時に占めるスペースを減らす、モニターの左右の視聴角度と位置を調整できるなどの効果が生じる。
【図面の簡単な説明】
【００１６】
【図１】本考案の実施例１である角度調整可能な掛け台座を示した斜視図である。
【図２】本考案の実施例１である角度調整可能な掛け台座を示した分解斜視図である。
【図３】本考案の実施例１である角度調整可能な掛け台座の掛け台座を最大調整位置にした状態を示した側面図である。
【図４】本考案の実施例１である角度調整可能な掛け台座の使用状態を示した斜視図である。
【図５】本考案の実施例１である角度調整可能な掛け台座の別の使用状態を示した斜視図である。
【図６】本考案の実施例１である角度調整可能な掛け台座の掛け台座を閉じ合わせた位置にした状態を示した側面図である。
【図７】本考案の実施例２である角度調整可能な掛け台座を備えたモニター固定装置を示した斜視図である。
【図８】本考案の実施例２である角度調整可能な掛け台座を備えたモニター固定装置の固定装置をモニターに連結させた状態を示した斜視図である。
【図９】本考案の実施例２である角度調整可能な掛け台座を備えたモニター固定装置の固定装置をモニターに連結させた状態を示した側面図である。
【図１０】本考案の実施例２である角度調整可能な掛け台座を備えたモニター固定装置の固定装置をモニターに連結させた第一の使用状態を示した側面図である。
【図１１】本考案の実施例２である角度調整可能な掛け台座を備えたモニター固定装置の固定装置をモニターに連結させた第二の使用状態を示した側面図である。
【図１２】本考案の実施例２である角度調整可能な掛け台座を備えたモニター固定装置の固定装置をモニターに連結させた第三の使用状態を示した俯瞰図である。
【図１３】本考案の実施例２である角度調整可能な掛け台座を備えたモニター固定装置の固定装置をモニターに連結させた第四の使用状態を示した俯瞰図である。
【図１４】本考案の実施例２である角度調整可能な掛け台座を備えたモニター固定装置の固定装置をモニターに連結させた第五の使用状態を示した俯瞰図である。
【図１５】本考案の実施例３である角度調整可能な掛け台座を備えたモニター固定装置を示した斜視図である。
【図１６】本考案の実施例３である角度調整可能な掛け台座を備えたモニター固定装置をモニターに連結させた状態を示した斜視図である。
【図１７】本考案の実施例３である角度調整可能な掛け台座を備えたモニター固定装置をモニターに連結させた使用状態を示した斜視図である。
【図１８】本考案の実施例３である角度調整可能な掛け台座を備えたモニター固定装置をモニターに連結させた別の使用状態を示した斜視図である。
【考案を実施するための形態】
【００１７】
（実施例１）
図１、図２、図３に示すように、本考案による角度調整可能な掛け台座１は、枢軸回転本体１１と、二つの第一連結部材１２、二つの第二連結部材１３、八つの固定部材１４と、積載台座１５とによって構成する。
【００１８】
枢軸回転本体１１は、平板状の底壁１１１と、底壁１１１の両側がそれぞれ垂直に延伸して形成する連結壁１１２とによって構成する。連結壁１１２両端は、それぞれ、第一固定部１１４と第二固定部１１５を形成する。第一固定部１１４には、固定孔１１２２が設けられ、第二固定部１１５には穿孔１１２１が設けられる。
【００１９】
第一連結部材１２は、長板状第一側壁１２１を備える。第一側壁１２１は、それぞれ反対側に位置する第一端部１２３と第二端部１２４を備える。第一端部１２３には第一対応孔１２１１が設けられ、第二端部１２４には第二対応孔１２１２が設けられ、固定部材１４を第一対応孔１２１１と固定孔１１２２に穿設することにより、第一連結部材１２を第一枢軸Ｌ１に巻きつけて枢軸回転本体１１の連結壁１１２に対して枢軸回転させることができる。また、第一端部１２３の辺縁は斜面接触領域１２２を形成する。なお、その作用については、後述する。
【００２０】
第二連結部材１３は、長板状第二側壁１３１を備える。第二側壁１３１は、それぞれ反対側に位置する第一端部１３３と第二端部１３４を備える。第一端部１３３にはスライド溝１３１１が穿設され、第二端部１３４には対応穿孔１３１２が穿設される。同様に、固定部材１４をスライド溝１３１１と穿孔１１２１に穿設することにより、第二連結部材１３を第二枢軸Ｌ２に巻きつけ枢軸回転本体１１の連結壁１１２に対して枢軸回転させることができる。第二連結部材１３は、長板状第二側壁１３１を備え、第二側壁１３１は、それぞれ反対側に位置する第一端部１３３と第二端部１３４を備え、第一端部１３３にはスライド溝１３１１が穿設され、第二端部１３４には対応穿孔１３１２が穿設され、同様に、固定部材１４をスライド溝１３１１と穿孔１１２１に穿設することにより、第二連結部材１３を第二枢軸Ｌ２に巻きつけ枢軸回転本体１１の連結壁１１２に対して枢軸回転させることができる。
【００２１】
その内、スライド溝１３１１は、長楕円形を呈するとともに、対応穿孔１３１２に近い第一端１３１３と、対応穿孔１３１２から離れた第二端１３１４とを備える。それにより、固定部材１４を、スライド溝１３１１の第一端１３１３と第二端１３１４の間でスライドさせることができる（即ち、第二連結部材１３と固定部材１４を、相互に、第二枢軸Ｌ２に対して垂直の方向へスライドさせることができる）。なお、その作用については、後述する。
【００２２】
積載台座１５は、平板状の底板１５１を備える。底板１５１の向かい合う二つの辺縁は、それぞれ垂直に折れ曲がって第一積載板１５２と第二積載板１５３を形成する。第一積載板１５２の向かい合う二つの辺縁は、それぞれ外向きに垂直に折れ曲がって第一連結部１５４を形成する。第二積載板１５３の向かい合う二つの辺縁は、それぞれ外向きに垂直に折れ曲がって第二連結部１５５を形成する。また、第二連結部１５５の辺縁は斜面接触領域１５５２を形成する。
【００２３】
その内、各第一連結部１５４には、第一通孔１５４１が設けられ、それぞれ、固定部材１４を第一通孔１５４１と、第一連結部材１２の第二対応孔１２１２に穿設することにより、積載台座１５を第三枢軸Ｌ３に巻きつけ、第一連結部材１２に対して枢軸回転させることができる。同様に、各第二連結部１５５には第二通孔１５５１が設けられ、それぞれ、固定部材１４を第二通孔１５５１と、第二連結部材１３の対応穿孔１３１２に穿設することにより、積載台座１５を第四枢軸Ｌ４に巻きつけ、第二連結部材１３に対して枢軸回転させることができる。
【００２４】
本考案の掛け台座１は、最大調整位置と閉じ合わせた位置とを変更することができる。なお、その部材間の作動関係の詳細については以下の通りである。
【００２５】
最大調整位置の時は、図３に示すように、固定部材１４は第二連結部材１３のスライド溝１３１１の第二端１３１４（図２も併せて参照する）に配置される。この時、相互に枢設された枢軸回転本体１１と、第一連結部材１２と、第二連結部材１３と、積載台座１５とが台形の四つのコネクションロッド機構を形成する。本実施例において、枢軸回転本体１１は、最も長い下底であり、積載台座１５は上底であり、第一連結部材１２と第二連結部材１３は、それぞれ二つの斜辺である。しかしながら、それに限定されるものではないものとする。
【００２６】
更に説明を行う。最大調整位置の時、第一枢軸Ｌ１と第二枢軸Ｌ２の距離はＡであり、第一枢軸Ｌ１と第二枢軸Ｌ３の距離はＢであり、第三枢軸Ｌ３と第四枢軸Ｌ４の距離はＣであり、第二枢軸Ｌ２と第四枢軸Ｌ４の距離はＤであり、明らかに、Ａ＜Ｂ＋Ｃ＋Ｄ、即ちダブルロック機構（ｄｏｕｂｌｅ  ｒｏｃｋｅｒ  ｍｅｃｈａｎｉｓｍ）を構成している。その内、第一連結部材１２と第二連結部材１３はそれぞれ二つの可動バーであり、積載台座１５は固定バーである。それにより、角度調整効果が生じる。
【００２７】
最大調整位置の時の角度調整方法の詳細な説明を行うために、図３の方向を初期参考方向とする。積載台座１５の第一積載板１５２に上向きの外力を加え、さらに、第二積載板１５３に下向きの外力を加えた場合、ダブルロック機構の枢軸回転するメカニズムにより、第二連結部材１３は下向きに枢軸回転し、第二端部１３４は、枢軸回転本体１１の底壁１１１に下向きに近づき、図４に示すような相対関係を形成する。この時、積載台座１５の底板１５１と枢軸回転本体１１の底壁１１１はＡ１角度を形成し、図４の方向で言うと、即ち、最大下方傾斜角度である。
【００２８】
反対に、第一積載板１５２に下向きの外力を加え、さらに、第二積載板１５３に上向きの外力を加えた場合、ダブルロック機構の枢軸回転するメカニズムにより、第一連結部材１２は下向きに枢軸回転し、第二端部１２４は、枢軸回転本体１１の底壁１１１に下向きに近づき、図５に示すような相対関係を形成する。この時、底板１５１と底壁１１１はＡ２角度を形成し、図５の方向で言うと、即ち、最大上方傾斜角度である。
【００２９】
ここで補足説明を行う、もし、固定部材１４が、第二連結部材１３のスライド溝１３１１の第二端１３１４に配置されていない場合、例えば、スライド溝１３１１の中間位置にある場合、やはり、外力を加えることで、底板１５１と底壁１１１の相対的な角度を調整することができる。しかしながら、調整できる相対的な角度は小さくなる。
【００３０】
閉じ合わせた位置の時は、図６に示すように、固定部材１４は、第二連結部材１３のスライド溝１３１１の第一端１３１３に配置される（図２を併せて参照する）。この時、第二枢軸Ｌ２と第四枢軸Ｌ４の距離Ｄは最小であり、また、Ａ、Ｂ、Ｃは変わらず、明らかに、Ａ＝Ｂ＋Ｃ＋Ｄである。従って、積載台座１５の底板は、枢軸回転本体１１の底壁１１１に貼り合わされ、即ち、閉じ合わせた位置であり（図１に示す）、積載台座１５と枢軸回転本体１１の相対的な角度は調整することができない。
【００３１】
また、最大調整位置から閉じ合わせた位置に変更する場合についての説明を行う。ここでも同様に、図３を初期参考方向とする。積載台座１５の第二積載板１５３に左下向きの外力を加えると、第二連結部材１３と固定部材１４が相対的にスライドし、それと同時に、第一連結部材１２の第二端部１２４が下向きに枢軸回転し、積載台座１５の底板１５１が、枢軸回転本体１１の底壁１１１に徐々に近づいていき、固定部材１４がスライド溝１３１１の第二端１３１３までスライドした時、積載台座１５の底板１５１は枢軸回転本体１１の底壁１１１に貼りあわされる。底板１５１はぴったりと底壁１１１に貼りつくため、占拠する收納空間を最小化することができる。
【００３２】
また、図２と図４を参照する。積載台座１５の底板１５１と、枢軸回転本体１１の底壁１１１がＡ１角度（即ち、最大下方傾斜角度）を形成する時、第一連結部材１２の接触領域１２２と積載台座１５の接触領域１５５２は、底壁１１１表面に同時に当接する。それにより、支持力が向上するとともに、位置決め効果を提供することができる。
【００３３】
続いて、本実施例の固定部材１４について詳細な説明を行う。ここでは、ネジによる固定方法を例にとる。固定部材１４は、ネジ柱１４１と、係合片１４２と、第一トルク調整ワッシャ１４３と、第二トルク調整ワッシャ１４４と、二つのネジ固定ワッシャ１４５と、ネジヘッド１４６とを備える。第一連結部材１２の第二対応孔１２１２の両脇には、それぞれ、第一連結部材１２を貫設する係合孔（図には符号を表示していない）が設けられ、係合片１４２には、係合穿孔１４２１が設けられ、係合片１４２の対向する両端には、それぞれ、係合突部１４２２が設けられる。係合突部１４２２は第一連結部材１２の係合孔に係合される。第一トルク調整ワッシャ１４３と第二トルク調整ワッシャ１４４は、それぞれ、第一連結部材１２の第二対応孔１２１２の相対的な両端に配置され、第一トルク調整ワッシャ１４３と第二トルク調整ワッシャ１４４は、第一連結部材１２の第二対応孔１２１２に対応する。ネジ柱１４１は、
係合片１４２の係合穿孔１４２１と、第一連結部材１２の第二対応孔１２１２と、第一トルク調整ワッシャ１４３と、第一連結部１５４の第一通孔１５４１と、第二トルク調整ワッシャ１４４と、二つのネジ固定ワッシャ１４５と、ネジヘッド１４６とに、順番に、外から内に向かって通される。
【００３４】
その内、第一トルク調整ワッシャ１４３と第二トルク調整ワッシャ１４４は、モニターの視聴角度の実際の調整状況に応じて、ネジ固定の緩み具合を自在に調整することができる。それにより、相互に枢設された第一連結部材１２と積載台座１５の間の枢軸回転により受ける力の状態を変化させることができ、部材と部材の間の摩損を減らすことができる。また、係合片１４２の係合穿孔１４２１と、第一連結部材１２の第二対応孔１２１２と、第一トルク調整ワッシャ１４３と、第二トルク調整ワッシャ１４４と、二つのネジ固定ワッシャ１４５は、ネジ柱の形状（例えば、四角柱）に合わせて、対応する孔の形状をもった部材を選択することができる。
【００３５】
（実施例２）
図７、図８、図９を参照する。本考案の実施例２は、角度調整可能な掛け台座を備えるモニター固定装置を提供する。前記モニター固定装置は、上述した角度調整可能な掛け台座１と、取り付け面（例えば、壁である。ただし、図示せず）に取り付けるための取り付け板３と、掛け台座１と取り付け板３の間に枢設されたコネクションロッドユニット２と、掛け台座１にネジ固定されるモニター５とによってなる。
【００３６】
本実施例において、掛け台座１の第一積載板１５２には、さらに、第一積載通孔１５２１が設けられ、第二積載板１５３には、第一積載通孔１５２１に対応する第二積載通孔１５３１が設けられる。また、コネクションロッドユニット２は、軸部材４と、第一コネクションロッド２２と、回転軸部材２１と、第二コネクションロッド２３とによって構成する。軸部材４の両端は、それぞれ、第一積載通孔１５２１と第二積載通孔１５３１に固定される。第一コネクションロッド２２の一端は軸部材４に枢設され、他端は、回転軸部材２１上半部に枢設される。第二コネクションロッド２３の一端は取り付け板３に枢設され、他端は回転軸部材２１下半部に枢設される。それにより、モニター５の調整の自由度が向上する。
【００３７】
例を挙げて説明を行う。掛け台座１が最大調整位置の時、モニター５を、コネクションロッドユニット２に対して、上下の傾きの角度の調整をすることができる（図１０と図１１に図示）。即ち、コネクションロッドユニット２に接続された軸部材４の一端を枢軸回転の起点として、モニター５をコネクションロッドユニット２に対して時計回り或いは反時計回りに枢軸回転させることができる（図１２の矢印で図示）。コネクションロッドユニット２の回転軸部材２１を枢軸回転の起点とした場合は、モニター５を取り付け板３の方向へ取り付け面に対して平行に前後に移動させることができる（図１３に図示）。第二コネクションロッド２３と取り付け板３の枢設箇所を枢軸回転の起点とした場合、斜め水平方向に平行移動させることができる（図１４に図示）。言い換えると、調整する上での死角はほとんどない。
【００３８】
また、モニターを使用しないで収納しておく際、第一コネクションロッド２２と第二コネクションロッド２３はほぼ同じ長さであるため、第一コネクションロッド２２と第二コネクションロッド２３をいずれも取り付け面に向かって貼り合わせ収納すると、掛け台座１と取り付け板３はほぼ重ね合わされて、相互の距離が短くなり、さらに、掛け台座１の底板１５１を底壁１１１にぴったりと貼り合わせることができ、収納時に占める空間を少なくすることができる。
【００３９】
ここで補足説明を行う。図８に示すように、本実施例で実際の操作を行う際、掛け台座１の底壁１１１におけるコネクションロッドユニット２から離れた外表面には連結板（図には符号を表示していない）が固定される。また、モニター５はさらに連結板に螺合される。なお、連結板は、モニター５の規格の違いに合わせて対応する規格が選択される。
【００４０】
（実施例３）
図１５と図１６に示すのは、本考案の実施例３である。実施例３は、実施例２と似ており、以下の部分だけ異なる。本実施例のコネクションロッドユニット２の第一コネクションロッド２２、回転軸部材２１、第二コネクションロッド２３の数量はいずれも二つであり、それぞれ、左側コネクションロッド及び右側コネクションロッドを形成する。実施例３と掛け台座１或いは取り付け板４の連結方法は、上述の実施例の説明と同じであるため、ここでは記載を省略する。また、生じる調整効果も実施例２と同様である（図１７と図１８に図示）。しかしながら、第一コネクションロッド２２と第二コネクションロッド２３の数量を増やしているため、更に大きい支持力を提供することができ、更に重いモニターを支えることができる。
【符号の説明】
【００４１】
１        掛け台座
１１      枢軸回転本体
１１１    底壁
１１２    連結壁
１１２１  穿孔
１１２２  固定孔
１２      第一連結部材
１２１    第一側壁
１２１１  第一対応孔
１２１２  第二対応孔
１２２    接触領域
１３      第二連結部材
１３１    第二側壁
１３１１  スライド溝
１３１２  対応穿孔
１３１３  第一端
１３１４  第二端
１４      固定部材
１４１    ネジ柱
１４２    係合片
１４２１  係合穿孔
１４２２  係合突部
１４３    第一トルク調整ワッシャ
１４４    第二トルク調整ワッシャ
１４５    ネジ固定ワッシャ
１４６    ネジヘッド
１５      積載台座
１５１    底板
１５２    第一積載板
１５２１  第一積載通孔
１５３    第二積載板
１５３１  第二積載通孔
１５４    第一連結部
１５４１  第一通孔
１５５    第二連結部
１５５１  第二通孔
１５５２  接触領域
２        コネクションロッドユニット
２１      回転軸部材
２２      第一コネクションロッド
２３      第二コネクションロッド
３        取り付け板
４        軸部材
５        モニター
Ｌ１      第一枢軸
Ｌ２      第二枢軸
Ｌ３      第三枢軸
Ｌ４      第四枢軸
【図１】
0003175332.tif 000003
【図２】
0003175332.tif 000004
【図３】
0003175332.tif 000005
【図４】
0003175332.tif 000006
【図５】
0003175332.tif 000007
【図６】
0003175332.tif 000008
【図７】
0003175332.tif 000009
【図８】
0003175332.tif 000010
【図９】
0003175332.tif 000011
【図１０】
0003175332.tif 000012
【図１１】
0003175332.tif 000013
【図１２】
0003175332.tif 000014
【図１３】
0003175332.tif 000015
【図１４】
0003175332.tif 000016
【図１５】
0003175332.tif 000017
【図１６】
0003175332.tif 000018
【図１７】
0003175332.tif 000019
【図１８】
0003175332.tif 000020